(57)【要約】【目的】固有共振周波数の異なる複数のダイナミックダンパを設けた複合ダイナミックダンパ装置において、共振周波数のチューニングを容易とし、かつ共振効率を大きくしてブロード化・小型化を実現させる。【構成】複合ダイナミックダンパ装置１は支持体２に浮動支持された第１ダイナミックダンパ３と第２ダイナミックダンパ４を有し、第１ダイナミックダンパ３と第２ダイナミックダンパ４の間にマス連係手段５を介在させる。マス連係手段５は弾性体からなり、両ダイナミックダンパ間に挟持されることにより、予め圧縮されて所定の締め代を設定され、第１ダイナミックダンパ３と第２ダイナミックダンパ４を非結合であり、かつ一方が他方へ向かって動くときは相手側を押圧することにより一方から他方へ振動を伝達し、逆の場合は相手から離れるため振動を伝達しない。【選択図】図１
2004232819.tif 000002
【特許請求の範囲】
【請求項１】
支持体に弾性体を介して浮動支持されたマスからなるダイナミックダンパ複数を隣り合わせに所定間隔をもって並設した複合ダイナミックダンパ装置において、
前記複数のダイナミックダンパは、異なる共振周波数を有して隣り合いかつ相互に非結合の第１及び第２ダイナミックダンパを備え、
共振周波数が低い方の第１ダイナミックダンパと高い方の第２ダイナミックダンパとの間に、一方側が相手側へ向かって動くときは相手側を押し、逆方向へ動くときは相手側から離れるマス連係手段を設けたことを特徴とする複合ダイナミックダンパ装置。
【請求項２】
前記マス連係手段は弾性部材からなり、予め所定の絞め代で圧縮されていることを特徴とする請求項１の複合ダイナミックダンパ装置。
【請求項３】
前記絞め代は、前記第１ダイナミックダンパ及び前記第２ダイナミックダンパの各共振時における振幅より大きいことを特徴とする請求項２の複合ダイナミックダンパ装置。
【請求項４】
前記マス連係手段が、前記第１ダイナミックダンパ及び前記第２ダイナミックダンパと別体の弾性部材からなり、前記第１ダイナミックダンパと前記第２ダイナミックダンパの間に挟持されることを特徴とする請求項２の複合ダイナミックダンパ装置。
【請求項５】
前記マス連係手段が、前記第１ダイナミックダンパ又は前記第２ダイナミックダンパのいずれか一方もしくは双方に形成された一体の弾性凸部からなることを特徴とする請求項２の複合ダイナミックダンパ装置。
【請求項６】
前記第１ダイナミックダンパと前記第２ダイナミックダンパの共振周波数差を、前記第１ダイナミックダンパと前記第２ダイナミックダンパの共振が干渉する範囲に設定したことを特徴とする請求項１の複合ダイナミックダンパ装置。
【請求項７】
前記第１ダイナミックダンパと前記第２ダイナミックダンパが同重量であることを特徴とする請求項１の複合ダイナミックダンパ装置。
【請求項８】
前記第１ダイナミックダンパと前記第２ダイナミックダンパが異なる重量であることを特徴とする請求項１の複合ダイナミックダンパ装置。
【発明の詳細な説明】
【０００１】
【発明の属する技術分野】
この発明は、ダイナミックダンパに係り、特に共振周波数の異なる複数のダイナミックダンパを設けた複合ダイナミックダンパ装置に関する。
【０００２】
【従来の技術】
ダイナミックダンパは公知であり、支持体に対してゴム等の弾性体を介してマスを浮動支持することにより、支持体に加えられる入力振動を制振するようになっている。また、共振周波数の異なるダイナミックダンパを複数共通の支持体へ設けて、複数の共振周波数にて振動吸収を行うことも公知である。
【０００３】
【発明が解決しようとする課題】
ところで、上記のように、複数のダイナミックダンパを設けても、それぞれの固有共振周波数において振動吸収が行われるだけであるから、中間的な共振周波数へ自由にチューニングすることはできず、このためにはさらに別のダイナミックダンパを設けることになるから、大型化、重量化することになる。また、ブロード化やコンパクトでより高い共振効率効果を発揮できるものも望まれている。本願は、このような要請の実現を目的とする。
【０００４】
【課題を解決するための手段】
上記課題を解決するため請求項１は、支持体に弾性体を介して浮動支持されたマスからなるダイナミックダンパ複数を隣り合わせに所定間隔をもって並設した複合ダイナミックダンパ装置において、前記複数のダイナミックダンパは、異なる共振周波数を有して隣り合いかつ相互に非結合の第１及び第２ダイナミックダンパを備え、共振周波数が低い方の第１ダイナミックダンパと高い方の第２ダイナミックダンパとの間に、一方側が相手側へ向かって動くときは相手側を押し、逆方向へ動くときは相手側から離れるマス連係手段を設けたことを特徴とする。
【０００５】
請求項２は請求項１において、前記マス連係手段は弾性部材からなり、予め所定の絞め代で圧縮されていることを特徴とする。
【０００６】
請求項３は請求項２において、前記絞め代が第１ダイナミックダンパ及び第２ダイナミックダンパの各共振時における振幅より大きいことを特徴とする。
【０００７】
請求項４は請求項２において、前記マス連係手段が前記第１ダイナミックダンパ及び前記第２ダイナミックダンパと別体の弾性部材からなり、前記第１ダイナミックダンパと前記第２ダイナミックダンパの間に挟持されることを特徴とする。
【０００８】
請求項５は請求項２において、前記マス連係手段が前記第１ダイナミックダンパ又は前記第２ダイナミックダンパのいずれか一方もしくは双方に形成された一体の弾性凸部からなることを特徴とする。
【０００９】
請求項６は請求項１において、前記第１ダイナミックダンパと前記第２ダイナミックダンパの共振周波数差を、前記第１ダイナミックダンパと前記第２ダイナミックダンパの共振が干渉する範囲に設定したことを特徴とする。
【００１０】
請求項７は請求項１において、前記第１ダイナミックダンパと前記第２ダイナミックダンパが同重量であることを特徴とする。
【００１１】
請求項８は請求項１において、前記第１ダイナミックダンパと前記第２ダイナミックダンパが異なる重量であることを特徴とする。
【００１２】
【発明の効果】
請求項１によれば、入力振動により、まず第１ダイナミックダンパが振動し、マス連係手段を介して第２ダイナミックダンパへ動きを伝えようとする。但し、第１ダイナミックダンパと第２ダイナミックダンパは非結合であるから、第２ダイナミックダンパへ近づく方向の振動（以下、相手側へ近づく方向の振動を正振動という）のときのみ第２ダイナミックダンパを押して連動させ、逆方向の振動（以下、負振動という）のときは、第２ダイナミックダンパから離れて自由に動き、これを反復する。
【００１３】
その結果、正振動のときのみ第２ダイナミックダンパを第１ダイナミックダンパの一部として連動させるようになる。すなわち相手側を一時的に一体化したダイナミックダンパとする効果（以下これをサブマス効果という）が生じ、その結果、各ダイナミックダンパの固有周波数と異なる共振周波数（以下これをサブマス共振周波数という）が生じ、共振点が増加する。しかもこのサブマス共振周波数は、各ダイナミックダンパの固有周波数等を変えることにより変化するから、チューニングが自在になるとともに、ブロード化並びに共振効率が向上し、装置の小型化が可能になる。
【００１４】
請求項２によれば、マス連係手段を弾性部材で構成し、これを予め圧縮することにより所定の絞め代を設けたので、正振動時における動きを的確に相手側へ伝達でき、相手側を連動させることができる。
【００１５】
請求項３によれば、絞め代が第１ダイナミックダンパ及び第２ダイナミックダンパの共振時における振幅より大きいため、正振動時における動きをより確実に相手側へ伝達できる。
【００１６】
請求項４によれば、マス連係手段を各ダイナミックダンパと別体の弾性部材とすることにより、第１ダイナミックダンパと第２ダイナミックダンパの間へ介在させるだけで双方から挟持されかつ圧縮されて所定の絞め代を設けることができる。したがってマス連係手段を簡単に形成でき、しかもマス連係手段としての弾性部材を交換して肉厚やバネ定数を変化させれば、サブマス共振周波数を容易にチューニングできる。
【００１７】
請求項５によれば、マス連係手段を第１ダイナミックダンパ又は第２ダイナミックダンパのいずれか一方もしくは双方へ一体に設けられた弾性凸部により構成したので、別体構成のマス連係手段が不要になるため、部品点数を削減できる。
【００１８】
請求項６によれば、第１ダイナミックダンパと第２ダイナミックダンパの各共振が干渉するように、第１ダイナミックダンパと第２ダイナミックダンパの共振周波数差を設定したので、第１ダイナミックダンパと第２ダイナミックダンパをマス連係手段で連動させることにより、共振効率を高めることができる。
【００１９】
請求項７によれば、第１ダイナミックダンパと第２ダイナミックダンパの重量を同じにしても、単純に重量を２倍にしたマスを使用する場合と比べて、共振効率が高くなり、かつ共振点を変化させることができるので、小型化できかつ共振点のチューニングが容易になる。
【００２０】
請求項８によれば、第１ダイナミックダンパと第２ダイナミックダンパの重量を異にするので、相手側に対して連動による動きの変化を相互に与えることができ、ブロード化及び共振効率の向上のチューニングが可能となる。
【００２１】
【発明の実施の形態】
以下、図面に基づいて一実施例を説明する。図１は本実施例に係る複合ダイナミックダンパ装置の全体図、図２はその２−２線断面図、図３は３−３線断面図、図４はダイナミックダンパの動作説明図である。
【００２２】
複合ダイナミックダンパ装置１は、支持体２と、その空間内に並列された２つのダイナミックダンパである第１ダイナミックダンパ３及び第２ダイナミックダンパ４を備え、第１ダイナミックダンパ３及び第２ダイナミックダンパ４の間にマス連係手段５が設けられている。
【００２３】
支持体２は金属等の比較適合性のある材料からなり、本例では、略門型をなし、その図示状態における両下端部を振動体（図示省略）へ取付けることにより、複合ダイナミックダンパ装置１が振動体の振動を吸振するようになっている。第１ダイナミックダンパ３と第２ダイナミックダンパ４の間には間隙６が形成され、この間隙６内にマス連係手段５設けられる。なお、使用されるダイナミックダンパの数は２以上であれば制限はないが、理解し易いよう２個の例で説明する。
【００２４】
第１ダイナミックダンパ３及び第２ダイナミックダンパ４は、それぞれバネ定数の異なる結合バネ脚７、８により支持体２へ結合されて浮動支持されている。結合バネ脚７、８はそれぞれ太さが異なり、これによりバネ定数が異なるため、第１ダイナミックダンパ３と第２ダイナミックダンパ４の各固有共振周波数が異なるものになっている。
【００２５】
第１ダイナミックダンパ３と第２ダイナミックダンパ４の各固有共振周波数の差（以下、周波数差という）は、第１ダイナミックダンパ３と第２ダイナミックダンパ４をマス連係手段５で連結したとき、後述する各ダイナミックダンパの加速度曲線が部分的に重なり合って各共振が相互に干渉するように設定される。
【００２６】
第１ダイナミックダンパ３及び第２ダイナミックダンパ４の共振周波数は結合バネ脚７、８のバネ定数及び後述するマス１０、１１（図２参照）の重量により自由に設定できる。本実施例では第１ダイナミックダンパ３の固有共振周波数は第２ダイナミックダンパ４の固有共振周波数よりも低くなっており、支持体２へ加わる入力振動の周波数が上がるにつれて、第１ダイナミックダンパ３及び第２ダイナミックダンパ４の順に共振する。
【００２７】
結合バネ脚７、８は、ゴム等の適宜弾性材料からなり、同一材料から一体に形成することも、逆に個々別々に形成することもできる。図３に示すように、本実施例では同一ゴム材料で支持体２の表面に一体化された結合部９及び各ダイナミックダンパの表面被覆を含めて連続一体に形成されている。なお図３は第２ダイナミックダンパ４のマス１１及び各マスの表面被覆１２を示すが、第１ダイナミックダンパ３も同様の構造になる。
【００２８】
マス連係手段５は、ゴム製等の適宜弾性部材からなるものであり、第１ダイナミックダンパ３と第２ダイナミックダンパ４の境界部に位置し、各ダイナミックダンパの相手側へ向かう方向の振動（以下、正振動という）時のみ相手側を押すようにして動きを伝達し、逆向きの振動（以下、負振動という）のときは相手を自由にする非結合の連結関係をなす部分であり、本実施例では第１ダイナミックダンパ３及び第２ダイナミックダンパ４とは別体に構成されて両ダイナミックダンパ間に介装されている。
【００２９】
図２に明らかなように、マス連係手段５は介装部１３とストッパ部１４を一体に備える。介装部１３は肉厚が間隙６の間隔Ｇより若干厚いＴとされ、介装時に第１ダイナミックダンパ３と第２ダイナミックダンパ４による圧縮で、締め代ｄ分だけ薄くなる。締め代ｄは、第１ダイナミックダンパ３及び第２ダイナミックダンパ４の各共振時の振幅より大きくなるように設定されている。ストッパ部１４は介装部１３の端部から肉厚方向へ張り出し、介装時に第１ダイナミックダンパ３及び第２ダイナミックダンパ４の側面に当接して介装部１３の位置決めをするようになっている。
【００３０】
なお、マス連係手段５は、第１ダイナミックダンパ３及び第２ダイナミックダンパ４とそれぞれ非結合、すなわち接着等で分離不能に結合する状態ではなく、単に圧縮状態で第１ダイナミックダンパ３及び第２ダイナミックダンパ４の間に挟持されるだけであり、所定の締め代で圧縮されることによりその反力を第１ダイナミックダンパ３と第２ダイナミックダンパ４へ加え、一方から他方を押圧する関係になっている。
【００３１】
したがって、第１ダイナミックダンパ３が正振動するとき、マス連係手段５が第２ダイナミックダンパ４を押すので、第１ダイナミックダンパ３の振動を第２ダイナミックダンパ４へ伝達し、逆に負振動のときは、マス連係手段５が第２ダイナミックダンパ４から離れるので、第１ダイナミックダンパ３の振動は第２ダイナミックダンパ４へ伝達されない。このとき、介装部１３は元の肉厚Ｔまで復元しようとするので間隙６から脱落することはない。第２ダイナミックダンパ４の共振時も同様となる。
【００３２】
図４は、この複合ダイナミックダンパ装置の動作を説明するものである。前提として第１ダイナミックダンパ３と第２ダイナミックダンパ４の各共振が相互に干渉可能な範囲となるように、各固有共振周波数の差（周波数差）を設定されている。周波数差の設定については後述する。
【００３３】
まず、図のＡで示す段階は、入力振動が第１ダイナミックダンパ３の固有共振周波数近傍の場合であり、このとき第１ダイナミックダンパ３が正振動（上向き矢示）すると、その振動は第２ダイナミックダンパ４よりも遙かに大きいので、マス連係手段５を介して第２ダイナミックダンパ４を押して同方向へ動かす。但し負振動のときは第２ダイナミックダンパ４を自由にする。すなわち第１ダイナミックダンパ３の正振動に対して第２ダイナミックダンパ４もそれぞれ同方向の矢示（上向き矢示）で示すように同位相の動きをする。
【００３４】
次に、Ｂで示す、入力振動が第１ダイナミックダンパ３及び第２ダイナミックダンパ４の各固有共振周波数の中間周波数になると、第２ダイナミックダンパ４の振動が大きくなり、その正振動（下向き矢示）の力が大きくなるので、マス連係手段５を介して第１ダイナミックダンパ３を逆向きに押し始める。したがって第２ダイナミックダンパ４の正振動（下向き矢示）は第１ダイナミックダンパ３の正振動（上向き矢示）と拮抗し、第１ダイナミックダンパ３の正振動を押さえるように作用する。このため第１ダイナミックダンパ３に対して第２ダイナミックダンパ４は逆位相の動きをすることになる。
【００３５】
さらに、Ｃで示す、入力振動が第２ダイナミックダンパ４の固有共振周波数近傍になると、第１ダイナミックダンパ３は共振を終わる段階に近づき、かつ第２ダイナミックダンパ４の振動が第１ダイナミックダンパ３の振動よりも遙かに大きくなるので、マス連係手段５を介して第２ダイナミックダンパ４の正振動（下向き矢示）で第１ダイナミックダンパ３を押して同方向へ動かす。したがって第２ダイナミックダンパ４は第１ダイナミックダンパ３とそれぞれ同方向（下向き矢示）で示すように同位相の動きをする。
【００３６】
次に、この複合ダイナミックダンパ装置１によって得られる加速度曲線を図５〜１２に示す。この加速度曲線は横軸に周波数、縦軸にダイナミックダンパの加速度をとったものであり、曲線のピークが固有共振周波数を示し、かつ加速度の大きさが共振効率の高さを示す。なお各曲線は第１ダイナミックダンパ３及び第２ダイナミックダンパ４について個々に求めた個別加速度曲線を併記したもの（図５、６、８〜１１）又は双方の個別加速度曲線を合成したもの（図７、１２）である。
【００３７】
図５〜７は、第１ダイナミックダンパ３，第２ダイナミックダンパ４をそれぞれ固有共振周波数が６０Ｈｚ，９０Ｈｚであって、周波数差が３０Ｈｚと比較的小さいケースに関するものである。但し、周波数差は各ダイナミックダンパの共振が干渉するべく各ダイナミックダンパの加速度曲線が部分的に重なり合うように設定されている（以下も同様）。図５はマス連係手段５を設けない場合、図６はマス連係手段５を設けた場合であり、それぞれ第１ダイナミックダンパ３及び第２ダイナミックダンパ４個々の加速度曲線を併記して示す。なお第１ダイナミックダンパ３は実線、第２ダイナミックダンパ４は破線で示す。また図７は図５及び図６の各合成された加速度曲線を比較したものある。
【００３８】
図５に示すように、マス連係手段５を設けない場合は第１ダイナミックダンパ３，第２ダイナミックダンパ４はそれぞれの固有共振周波数にてピークＰ１，Ｐ２を形成し、両曲線を合成した合成曲線は図７の破線で示すように、殆どピークＰ１，Ｐ２と同じピークＰ３，４を形成する。この場合、ピークＰ３，４の間の周波数では共振がないので、ほぼ第１ダイナミックダンパ３及び第２ダイナミックダンパ４の各個別の共振しか期待できない。
【００３９】
一方、図６に示すように、マス連係手段５を設けると、まず第１ダイナミックダンパ３の共振周波数により第２ダイナミックダンパ４が連動するため、第１ダイナミックダンパ３の共振ピークＰ５はより高周波側へ移動する。このようなサブマス共振は各ダイナミックダンパの連係振動によって、第１ダイナミックダンパ３の共振が第２ダイナミックダンパ４の共振と連成された結果のものである。一方、第２ダイナミックダンパ４の連成共振のピークはより低周波側へ移動したピークＰ６となり、これらピークＰ５，Ｐ６は近接周波数となって、各ピークＰ６と７は近似した周波数行きにてほぼ重なる。
【００４０】
その結果、図６における各ダイナミックダンパの加速度曲線を合成した曲線は、図７の実線に示すように、ピークＰ３，Ｐ４の中間位置にて著しく高い合成ピークＰ７を形成する。これにより、マス連係手段５を設けると、第１ダイナミックダンパ３，第２ダイナミックダンパ４の中間周波数にて共振効率の高い共振をしていることが判る。すなわち、マス連係手段５のない図５のケースにおける合成曲線（図７の破線）と比較すれば、合成ピークＰ７の高さが顕著であることが明らかである。
【００４１】
なお、マス連係手段５の有無は、図５と図６を比較すれば、その効果の差は歴然とする。すなわち図６のピークＰ５、Ｐ６は、図５のピークＰ１、Ｐ２が相互に接近するように共振周波数が変化するので、共振点をチューニングできたことになる。
【００４２】
また、締め代を設けずに、間隙６と同厚程度の弾性部材を介装した場合は、マス連係手段５の無いものと大差がなかった。これは介装した弾性部材の圧縮量が各ダイナミックダンパの振幅程度のため効果がなかったと考えられる。
【００４３】
さらに、第１ダイナミックダンパ３と第２ダイナミックダンパ４を接着等により結合一体化した場合は、マス１０、１１の合計重量のマスを用い、かつ結合バネ脚７，８の合計したバネ定数を有するゴムバネを組み合わせた、単に１つのダイナミックダンパとして機能するだけであり、この加速度曲線を図６に仮想線で示す。
【００４４】
この仮想線との比較より明らかなように、実施例の曲線（実線）の方が単一ダイナミックダンパの曲線（仮想線）を含んでその外側へ広がった状態で重なるから、実施例の方が若干ブロード化し、かつピーク７は仮想線のピーク８よりも高いから、やはり高共振効率になっていることが判る。
【００４５】
したがって、マス連係手段５を締め代を設けて用いることにより、図６に実線で示すような顕著な効果を得られることが明らかである。
【００４６】
図８、９は、第１ダイナミックダンパ３，第２ダイナミックダンパ４をそれぞれ固有共振周波数が６０Ｈｚ，１０３Ｈｚ、周波数差が４３Ｈｚであって、前述及び後述する各ケースの中間的となるケースに関するものであり、図８はマス連係手段５を設けない場合、図９はマス連係手段５を用いた場合であり、それぞれ第１ダイナミックダンパ３及び第２ダイナミックダンパ４における個々の加速度曲線を併記して示す。なお第１ダイナミックダンパ３は実線、第２ダイナミックダンパ４は破線で示す。
【００４７】
この場合も、マス連係手段５を用いないときは図８に示すように、各ダイナミックダンパの共振におけるピークＰ１、Ｐ２は若干広がるが図５の場合と大差がない。これに対して図９に示すように、本実施例におけるピークＰ５、Ｐ６は近接して、曲線が重なり合うので、ほぼ図６と同様の効果が得られる。また第２ダイナミックダンパ４本来の共振点であるピークＰ６よりも高周波数側に第１ダイナミックダンパ３のサブマス効果を受けたピークＰ９が発生するので、共振がよりブロード化する可能性がある。
【００４８】
図１０〜１２は、第１ダイナミックダンパ３，第２ダイナミックダンパ４をそれぞれ固有共振周波数が５４Ｈｚ，１３０Ｈｚであって、周波数差が７６Ｈｚと比較的大きいケースに関するものであり、図１０はマス連係手段５を設けない場合、図１１はマス連係手段５を設けた場合であり、それぞれ第１ダイナミックダンパ３及び第２ダイナミックダンパ４個々の加速度曲線を併記して示す。なお第１ダイナミックダンパ３は実線、第２ダイナミックダンパ４は破線で示す。また図１２は図１０及び図１１の各合成された加速度曲線を比較したものある。
【００４９】
この例では、図１０に示すマス連係手段５を設けない場合の加速度曲線はより周波数差が広がっただけでこれまでと大差がない。これに対してマス連係手段５を設けた場合は、図１１に示すように、第１ダイナミックダンパ３と第２ダイナミックダンパ４のピークＰ５，Ｐ６は大きく分離するとともに、それぞれが図１０に示すピークＰ１、Ｐ２よりも高周波側へずれている。また第２ダイナミックダンパ４の加速度曲線にはピークＰ５とほぼ同じ位置に低いピーク１０が出現し、さらにその高周波数側に入力振動の加速度（仮想線で示す）よりも低くなるボトムＢ１が出現している。
【００５０】
図中Ａで示す領域は、第１ダイナミックダンパ３及び第２ダイナミックダンパ４が同位相で動く範囲である。同様に図中Ｂで示す領域は逆位相で動き、図中Ｃで示すよう領域は再び同位相で動く。その結果、合成曲線は図１２の実線で示すように、ピーク８ではより高くなり、ピーク９はより低くなる。なお、これらの領域ＡＢＣは、図４の動作に関するＡＢＣと対応するものである。
【００５１】
この合成曲線（実線）に対して、図１０における加速度曲線の合成曲線（破線で示す。なおこの場合の各ピークは図７の曲線と同様になるので、説明にＰ３及びＰ４を用いる）を重ね合わせると明らかなように、２つの共振を示し、低周波数側の共振における合成ピーク１１はピーク３より高いから共振効率が高くなる。また合成曲線がピークＰ３を包含してその外側へ拡大した形で重なるから、斜線で示す分だけ共振効果が拡大したことになり、ブロード化していることを示す。なお、合成ピーク１１は図１１におけるピークＰ５とＰ１０を合成したものであるから、図１１におけるピークＰ６部分の合成ピークＰ１２よりも高くなっている。
【００５２】
一方、高周波数側の共振における合成ピークＰ１２は、ほぼピークＰ４と一致し、合成曲線もほぼ同様に重なる。したがって高周波数側ではブロー化を期待できない。またピークＰ１２は図１１のピークＰ６よりも若干低くなっており、共振効率が若干低下することを示す。但し、この低下はブロード化の効果により余り問題にならない。また第１ダイナミックダンパ３との連成によるものであるから、周波数差をより大きくすれば（例えば８０Ｈｚ）、その影響を小さくして解消できる。
【００５３】
このように、周波数差の設定により、図６のように共振点を一つにしたり、図１２のように２つすることが自在になり、共振点のチューニングを自由にできる。また、サブマス効果により、共振効率の向上並びにブロード化も可能になり、装置の小型化が可能になる。
【００５４】
また、マス連係手段５を弾性部材で形成し、予め圧縮することにより絞め代を設けたので、正振動時における動きを的確に相手側へ伝達でき、相手側を連動させることができる。しかもこの絞め代が第１ダイナミックダンパ３及び第２ダイナミックダンパ４の共振時における振幅より大きくすることにより、正振動時における動きをより確実に相手側へ伝達できる。
【００５５】
さらに、マス連係手段５を各ダイナミックダンパと別体の弾性部材とすることにより、第１ダイナミックダンパ３と第２ダイナミックダンパ４の間隙６内へ介在させるだけで双方から挟持されかつ圧縮されて絞め代を設けることができる。したがってマス連係手段５を簡単に形成でき、しかもマス連係手段５としての弾性部材を交換して肉厚やバネ定数を変化させれば、共振点を容易にチューニングできる。
【００５６】
また、第１ダイナミックダンパ３と第２ダイナミックダンパ４の共振が相互に干渉するように周波数差を設定したので、第１ダイナミックダンパ３と第２ダイナミックダンパ４をマス連係手段５で連結することにより、共振効率を高めることができる。
【００５７】
そのうえ、第１ダイナミックダンパ３と第２ダイナミックダンパ４の重量を同じにしても、単純に重量を２倍にしたマスを使用する場合と比べて、共振効率が高くなり、かつ共振点を変化させることができるので、小型化できかつ共振点のチューニングが容易になる。
【００５８】
但し、第１ダイナミックダンパ３と第２ダイナミックダンパ４を構成するマスの重量を異にすることもでき、この場合には、各ダイナミックダンパの固有共振周波数の差を大きく設定することが簡単になり、その結果、装置全体の共振周波数域をよりブロード化できる。
【００５９】
なお、本願発明は上記実施例に限定されず種々に変形や応用が可能であり、例えば、マス連係手段は、第１ダイナミックダンパ３及び第２ダイナミックダンパ４と別体にせず、いずれか一方又は双方へ一体化させてもよい。この場合は第１ダイナミックダンパ３又は第２ダイナミックダンパ４のいずれか一方又は双方の表面被覆部１２の一部を利用して厚肉の弾性凸部にすれば容易にできる。
【００６０】
さらにこのような弾性凸部を設けた場合には、別体の金属板等絞め代調節ができない程度に硬い部材を第１ダイナミックダンパ３と第２ダイナミックダンパ４の間に介装して弾性凸部側を圧縮することにより絞め代を設けてもよい。
【００６１】
また、マス連係手段５を第１ダイナミックダンパ又は第２ダイナミックダンパのいずれか一方もしくは双方に設けられた弾性凸部により構成すれば、別体構成のマス連係手段が不要になるため、部品点数を削減できる。
【００６２】
さらにまた、マス連係手段５を別体にした場合における弾性部材や結合バネ脚７，８等の弾性体は、ゴムに限らず適宜の弾性に富む材料が可能であり、金属製バネであってもよい。
【図面の簡単な説明】
【図１】実施例に係る複合ダイナミックダンパ装置の全体図
【図２】図１の２−２線断面図
【図３】図１の３−３線断面図
【図４】ダイナミックダンパの動作説明図
【図５】周波数差小かつ振動伝達手段を用いない加速度曲線図
【図６】周波数差小かつ振動伝達手段を用いた加速度曲線図
【図７】図５と６の各合成曲線を比較した図
【図８】周波数差中かつ振動伝達手段を用いない加速度曲線図
【図９】周波数差中かつ振動伝達手段を用いた加速度曲線図
【図１０】周波数差大かつ振動伝達手段を用いない加速度曲線図
【図１１】周波数差大かつ振動伝達手段を用いた加速度曲線図
【図１２】図７、８の各合成曲線を比較した図
【符号の説明】１：複合ダイナミックダンパ装置、２：支持体、３：第１ダイナミックダンパ、４：第２ダイナミックダンパ、５：マス連係手段、６：間隙、７：結合バネ脚、８：結合バネ脚、１０：マス、１１：マス、１２：表面被覆部、１３：介装部、１４：ストッパ部
【図１】
2004232819.tif 000003
【図２】
2004232819.tif 000004
【図３】
2004232819.tif 000005
【図４】
2004232819.tif 000006
【図５】
2004232819.tif 000007
【図６】
2004232819.tif 000008
【図７】
2004232819.tif 000009
【図８】
2004232819.tif 000010
【図９】
2004232819.tif 000011
【図１０】
2004232819.tif 000012
【図１１】
2004232819.tif 000013
【図１２】
2004232819.tif 000014